(57)【要約】【課題】リセット区間での不必要な放電を抑制してコントラストを高めると同時に誤放電を防止する。【解決手段】本発明はコントラストの向上及び誤放電防止が可能なプラズマディスプレイパネルの駆動装置及び方法に関する。本発明のプラズマディスプレイパネルの駆動方法によると、第１サブフィールドのリセット区間で第１区間内に走査電極に上昇ランプ波形を印加し、前記第１区間のうちの一部区間で共通電極をフローティングさせ前記共通電極の電圧を前記走査電極に印加される電圧と前記パネルキャパシターの両端の電圧に対応する第１電圧まで上昇させる。また、前記第１サブフィールドより高階調を表現するための第２サブフィールドのリセット区間で、第２区間内に前記走査電極に上昇ランプ波形を印加し、前記第２区間のうちの一部区間で前記共通電極をフローティングさせ前記共通電極の電圧を前記第１電圧より小さい第２電圧まで上昇させる。【選択図】    図５
2004163884.tif 000002
【特許請求の範囲】
【請求項１】
第１電極及び第２電極と、前記第１電極及び第２電極の間に形成されたパネルキャパシターとを含むプラズマディスプレイパネルの駆動方法において、
リセット区間で、
（ａ）第１区間内で前記第１電極に第１電圧から第２電圧まで上昇する波形を印加する段階と、
（ｂ）第１区間の一部区間で前記第２電極の電圧をフローティングさせて、前記第２電極の電圧が前記第１電極に印加される電圧と前記パネルキャパシターの両端の電圧とに対応して第３電圧から第４電圧まで上昇するようにする段階とを含むプラズマディスプレイパネルの駆動方法。
【請求項２】
（ｃ）前記（ａ）段階前に第２電極に第５電圧から第６電圧まで上昇する波形を印加する段階と、
（ｄ）前記（ａ）段階後に第１電極に第１電圧から第７電圧まで下降する波形を印加する段階とを追加する請求項１に記載のプラズマディスプレイパネルの駆動方法。
【請求項３】
前記（ｂ）段階で前記第２電極をフローティングさせる前に前記第２電極を接地電圧に維持することを特徴とする請求項１または２に記載のプラズマディスプレイパネルの駆動方法。
【請求項４】
前記第５電圧及び前記第７電圧は接地電圧であることを特徴とする請求項１または２に記載のプラズマディスプレイパネルの駆動方法。
【請求項５】
走査電極、共通電極、及び前記走査電極と共通電極との間に形成されたパネルキャパシターを含むプラズマディスプレイパネルの駆動装置において、
前記走査電極に電気的に連結されて、第１区間内で前記走査電極に上昇ランプ波形を印加する第１トランジスタと、
前記走査電極に電気的に連結されて、第２区間内で前記走査電極に下降ランプ波形を印加する第２トランジスタと、
前記共通電極と第１電圧の間で電気的に連結される第３トランジスタと、を含み、
前記第３トランジスタは前記第１区間のうちの一部区間で前記共通電極をフローティングさせ前記共通電極の電圧を前記走査電極に印加される電圧と前記パネルキャパシターの両端電圧とに対応して第２電圧から第３電圧に上昇させることを特徴とするプラズマディスプレイパネルの駆動装置。
【請求項６】
前記共通電極に電気的に連結されて、第３区間内で前記共通電極に消去上昇ランプを印加する第４トランジスタを追加的に含む請求項５に記載のプラズマディスプレイパネルの駆動装置。
【請求項７】
第１電極、第２電極、及び前記第１電極と前記第２電極との間に形成されたパネルキャパシターを含むプラズマディスプレイパネルの駆動方法において、
前記プラズマディスプレイパネルは各々リセット区間、アドレス区間及び維持放電区間を含む複数のサブフィールドに分けられて駆動され、
（ａ）第１サブフィールドのリセット区間で、第１電圧差を有するように前記第１電極及び前記第２電極に所定電圧を印加する段階と、
（ｂ）前記第１サブフィールドよりも高階調を表現するための第２サブフィールドのリセット区間で、前記第１電圧差よりも大きい第２電圧差を有するように前記第１電極及び前記第２電極に所定の電圧を印加する段階と、を含むプラズマディスプレイパネルの駆動方法。
【請求項８】
前記（ａ）段階は、
第１区間内で前記第１電極に第１電圧から第２電圧まで上昇する波形を印加する段階と、
前記第１区間の一部区間で前記第２電極の電圧が第３電圧まで上昇するようにする段階とを含み、
前記（ｂ）段階は、
第２区間内で前記第１電極に第１電圧から第２電圧まで上昇する波形を印加する段階と、
前記第２区間の一部区間で前記第２電極の電圧が第３電圧よりも小さい第４電圧まで上昇するようにする段階と、を含む請求項７に記載のプラズマディスプレイパネルの駆動方法。
【請求項９】
前記（ａ）段階及び（ｂ）段階において、
前記第２電極の電圧の上昇は前記第２電極をフローティングさせて前記第２電極の電圧が前記第１電極に印加された電圧と前記パネルキャパシターの両端電圧との差に対応するようにすることによって行われることを特徴とする請求項８に記載のプラズマディスプレイパネルの駆動方法。
【請求項１０】
前記（ａ）段階で第２電極がフローティングする区間は前記（ｂ）段階で第２電極がフローティングする区間よりも長いことを特徴とする請求項９に記載のプラズマディスプレイパネルの駆動方法。
【請求項１１】
前記（ａ）段階は、
前記第２電極を第１電圧に維持した状態で、前記第１電極に第２電圧まで上昇する波形を印加する段階を含み、
前記（ｂ）段階は、
前記第２電極を前記第１電圧に維持した状態で、第１電極に前記第２電圧よりも大きい第３電圧まで上昇する波形を印加する段階を含む、請求項７に記載のプラズマディスプレイパネルの駆動方法。
【請求項１２】
走査電極、共通電極、及び前記走査電極と共通電極との間に形成されたパネルキャパシターを含むプラズマディスプレイパネルの駆動方法において、
前記プラズマディスプレイパネルは各々リセット区間、アドレス区間及び維持放電区間を含む複数のサブフィールドに分けられて駆動され、
第１サブフィールドのリセット区間は、
（ａ）第１区間内で前記走査電極に上昇ランプ波形を印加する段階と、
（ｂ）前記第１区間のうちの一部区間で前記共通電極をフローティングさせ前記共通電極の電圧を前記走査電極に印加される電圧と前記パネルキャパシターの両端の電圧とに対応する第１電圧まで上昇させる段階とを含み、
前記第１サブフィールドよりも高階調を表現するための第２サブフィールドのリセット区間は、
（ｃ）第２区間内で前記走査電極に上昇ランプ波形を印加する段階と、
（ｅ）前記第２区間のうちの一部区間で前記共通電極をフローティングさせ前記共通電極の電圧を前記第１電圧よりも小さい第２電圧まで上昇させる段階とを含むプラズマディスプレイパネルの駆動方法。
【請求項１３】
前記第１サブフィールドのリセット区間は、
第３区間内で前記走査電極に下降ランプ波形を印加する段階を含み、
前記第２サブフィールドのリセット区間は、
第４区間内で前記走査電極に下降ランプ波形を印加する段階を含む、請求項１２に記載のプラズマディスプレイパネルの駆動方法。
【請求項１４】
前記（ｂ）段階で共通電極がフローティングする区間は前記（ｅ）段階で共通電極がフローティングする区間よりも長いことを特徴とする請求項１２に記載のプラズマディスプレイパネルの駆動方法。
【請求項１５】
走査電極、共通電極、及び前記走査電極と共通電極との間に形成されたパネルキャパシターを含み、複数のサブフィールドに分けられて駆動されるプラズマディスプレイパネルの駆動装置において、
第１サブフィールドのリセット区間で前記走査電極に電気的に連結されて、前記走査電極に第１電圧から第２電圧まで上昇するランプ波形を印加する第１トランジスタと、
前記第１サブフィールドよりも高階調を表現するための第２サブフィールドのリセット区間で前記走査電極に電気的に連結されて、前記走査電極に前記第１電圧から前記第２電圧よりも大きい前記第３電圧まで上昇するランプ波形を印加する第２トランジスタと、
前記走査電極に電気的に連結されて、前記走査電極に下降ランプ波形を印加する第３トランジスタと、を含むプラズマディスプレイパネルの駆動装置。
【請求項１６】
前記共通電極に電気的に連結されて、前記共通電極に上昇ランプ波形を印加する第４トランジスタを追加的に含む請求項１５に記載のプラズマディスプレイパネルの駆動装置。
【発明の詳細な説明】
【０００１】
【発明の属する技術分野】
本発明はプラズマディスプレイパネル（ＰＤＰ）の駆動装置及び駆動方法に関し、特にコントラストの向上及び誤放電防止が可能なプラズマディスプレイパネルの駆動方法及び駆動装置に関する。
【０００２】
【従来の技術】
最近、液晶表示装置（ＬＣＤ）、電界放出表示装置（ＦＥＤ）、ＰＤＰなどの平面表示装置が活発に開発されている。これら平面表示装置の中でＰＤＰは他の平面表示装置に比べて輝度及び発光効率が高くて視野角が広いという長所がある。したがって、ＰＤＰが４０インチ以上の大型表示装置で従来のＣＲＴ（ｃａｔｈｏｄｅ  ｒａｙ  ｔｕｂｅ）を代替する表示装置として脚光を浴びている。
【０００３】
ＰＤＰは気体放電によって生成されたプラズマを利用して文字または映像を表示する平面表示装置であって、その大きさによって数十から数百万個以上のピクセル（ｐｉｘｅｌ）がマトリックス（ｍａｔｒｉｘ）形態に配列されている。このようなＰＤＰは印加される駆動電圧波形の形態と放電セルの構造とによって直流型（ＤＣ型）と交流型（ＡＣ型）とに区分される。
【０００４】
直流型ＰＤＰは電極が放電空間にそのまま露出されていて、電圧が印加される間電流が放電空間にそのまま流れるようになり、このために電流制限のための抵抗を作らなければならないという短所がある。反面、交流型ＰＤＰでは電極を誘電体層が覆っていて自然なキャパシタンス成分の形成で電流が制限され、放電時イオンの衝撃から電極が保護されるので直流型に比べて寿命が永いという長所がある。
【０００５】
図１はＡＣ型プラズマディスプレイパネルの一部斜視図である。
【０００６】
図１に示したように、第１ガラス基板１上には誘電体層２及び保護膜３で覆われた走査電極４と維持電極５とが対をなして平行に設置されている。第２ガラス基板６上には複数のアドレス電極８が設置され、アドレス電極８は絶縁体層７によって覆われている。アドレス電極８の間にある絶縁体層７上にはアドレス電極８と平行に隔壁９が形成されている。また、絶縁体層７の表面及び隔壁９の両側面に蛍光体１０が形成されている。第１ガラス基板１及び第２ガラス基板６は走査電極４とアドレス電極８、及び維持電極５とアドレス電極８が直交するように放電空間１１を隔てて対向して配置されている。アドレス電極８と、対をなす走査電極４及び維持電極５との交差部分にある放電空間が放電セル１２を形成する。
【０００７】
図２はプラズマディスプレイパネルの電極配列図を示す。
【０００８】
図２に示したように、ＰＤＰ電極はｍ×ｎのマトリックス構成を有しており、具体的に列方向にはアドレス電極（Ａ１〜Ａｍ）が配列されていて、行方向にはｎ行の走査電極（Ｙ１〜Ｙｎ）及び維持電極（Ｘ１〜Ｘｎ）がジグザグに配列されている。以下では走査電極を「Ｙ電極」、維持電極を「Ｘ電極」と称する。図２に示された放電セル１２は図１に示された放電セル１２に対応する。
【０００９】
図３は従来技術によるプラズマディスプレイパネルの駆動波形図である。
【００１０】
図３に示したように従来のＰＤＰ駆動方法によれば各サブフィールドはリセット区間、アドレス区間、維持区間で構成される。
【００１１】
リセット区間は直前の維持放電の壁電荷状態を消去し、次のアドレス放電を安定的に行うために壁電荷をセットアップ（ｓｅｔｕｐ）する役割を果たす。
【００１２】
アドレス区間はパネルで点灯されるセルと点灯されないセルとを選択して点灯されるセル（アドレシングされたセル）に壁電荷を蓄積する動作を行う区間である。
【００１３】
維持区間はアドレシングされたセルに実際に画像を表示するための放電を行う区間である。
【００１４】
以下、従来のリセット区間の動作をより詳細に説明する。図３に示したように、従来のリセット区間は消去区間、Ｙランプ上昇区間、Ｙランプ下降区間からなる。
【００１５】
（１）消去区間
最後の維持放電が終わると、Ｘ電極には（＋）電荷、Ｙ電極には（−）電荷が蓄積される。
維持放電が終わった後、Ｘ電極に０（Ｖ）から＋Ｖｅ（Ｖ）に向かってなだらかに上昇する消去ランプ電圧を印加する。その結果、Ｘ電極及びＹ電極に形成された壁電荷は徐々に消去される。
【００１６】
（２）Ｙランプ上昇区間
この区間内ではアドレス電極及びＸ電極を０Ｖに維持し、Ｙ電極に電圧Ｖｓから電圧Ｖｓｅｔに向かってなだらかに上昇するランプ電圧を印加する。このランプ電圧が上昇する間に全ての放電セルではＹ電極からアドレス電極及びＸ電極に各々第１の微弱なリセット放電が起こる。その結果、Ｙ電極に（−）壁電荷が蓄積され、同時にアドレス電極及びＸ電極には（＋）壁電荷が蓄積される。
【００１７】
（３）Ｙランプ下降区間
次いで、リセット区間の後半にはＸ電極を定電圧Ｖｅに維持した状態で、Ｙ電極に電圧Ｖｓから０（Ｖ）に向かってなだらかに下降するランプ電圧を印加する。このランプ電圧が下降する間に再び全ての放電セルでは第２の微弱なリセット放電が起こる。
【００１８】
図３に示した従来のリセット方法によれば、Ｙランプ上昇区間及びＹランプ下降区間でリセット放電が起こってセル内の壁電荷量を調節することにより、次のアドレス区間で正確なアドレシング動作が起こるようにする。この時、リセット区間でＹ電極とＸ電極との間の電圧差が大きければ大きいほどその後のアドレシング区間で正確なアドレシング動作が起こる。
【００１９】
しかし、図３に示した従来のリセット方法によれば、Ｙランプ上昇区間でＹ電極には高い電圧（約３８０Ｖ）であるＶｓｅｔの電圧が印加されるのに対し、Ｘ電極には接地電圧が印加されるために、Ｘ電極とＹ電極との間に不必要に高い電圧が印加されて強い放電が起こってＰＤＰのコントラストを低下させるという問題点がある。
【００２０】
【発明が解決しようとする課題】
本発明が目的とする技術的課題はこのような従来技術の問題点を解決するためのものであって、リセット区間での不必要な放電を抑制してコントラストを高めることである。
【００２１】
また、本発明の目的はコントラストを高めると同時に誤放電を防止することである。
【００２２】
【課題を解決するための手段】
このような目的を達成するために本発明の一つの特徴によるプラズマディスプレイパネルの駆動方法は、第１電極及び第２電極と、前記第１電極及び第２電極の間に形成されたパネルキャパシターとを含むプラズマディスプレイパネルの駆動方法であって、リセット区間で、
（ａ）第１区間内で前記第１電極に第１電圧から第２電圧まで上昇する波形を印加する段階と、
（ｂ）第１区間の一部区間で前記第２電極の電圧をフローティングさせ、前記第２電極の電圧が前記第１電極に印加される電圧と前記パネルキャパシターの両端の電圧とに対応して第３電圧から第４電圧まで上昇するようにする段階と、を含む。
【００２３】
一方、本発明の他の特徴によるプラズマディスプレイパネルの駆動方法は、第１電極、第２電極、及び前記第１電極と前記第２電極との間に形成されたパネルキャパシターを含むプラズマディスプレイパネルの駆動方法であって、
（ａ）第１サブフィールドのリセット区間で、第１電圧差を有するように前記第１電極及び前記第２電極に所定電圧を印加する段階と、
（ｂ）前記第１サブフィールドよりも高階調を表現するための第２サブフィールドのリセット区間で、前記第１電圧差よりも大きい第２電圧差を有するように前記第１電極及び前記第２電極に所定の電圧を印加する段階と、を含む。
【００２４】
一方、本発明の他の特徴によるプラズマディスプレイパネルの駆動方法は、走査電極、共通電極、及び前記走査電極と共通電極との間に形成されたパネルキャパシターを含むプラズマディスプレイパネルの駆動方法であって、第１サブフィールドのリセット区間は、
（ａ）第１区間内で前記走査電極に上昇ランプ波形を印加する段階と、
（ｂ）前記第１区間のうちの一部区間で前記共通電極をフローティングさせ前記共通電極の電圧を前記走査電極に印加される電圧と前記パネルキャパシターの両端の電圧とに対応する第１電圧まで上昇させる段階と、を含み、前記第１サブフィールドよりも高階調を表現するための第２サブフィールドのリセット区間は、
（ｃ）第２区間内で前記走査電極に上昇ランプ波形を印加する段階と、
（ｅ）前記第２区間のうちの一部区間で前記共通電極をフローティングさせ前記共通電極の電圧を前記第１電圧よりも小さい第２電圧まで上昇させる段階と、を含む。
【００２５】
一方、本発明の一つの特徴によるプラズマディスプレイパネルの駆動装置は、走査電極、共通電極、及び前記走査電極と共通電極との間に形成されたパネルキャパシターを含むプラズマディスプレイパネルの駆動装置であって、
前記走査電極に電気的に連結されて、第１区間内で前記走査電極に上昇ランプ波形を印加する第１トランジスタと、
前記走査電極に電気的に連結されて、第２区間内で前記走査電極に下降ランプ波形を印加する第２トランジスタと、
前記共通電極と第１電圧の間で電気的に連結される第３トランジスタと、を含み、
前記第３トランジスタは前記第１区間のうちの一部区間で前記共通電極をフローティングさせ前記共通電極の電圧を前記走査電極に印加される電圧と前記パネルキャパシターの両端電圧とに対応して第２電圧から第３電圧に上昇させることを特徴とする。
【００２６】
一方、本発明の他の特徴によるプラズマディスプレイパネルの駆動装置は、走査電極、共通電極、及び前記走査電極と共通電極との間に形成されたパネルキャパシターを含み、複数のサブフィールドに分けられて駆動されるプラズマディスプレイパネルの駆動装置であって、
第１サブフィールドのリセット区間で前記走査電極に電気的に連結されて、前記走査電極に第１電圧から第２電圧まで上昇するランプ波形を印加する第１トランジスタと、
前記第１サブフィールドよりも高階調を表現するための第２サブフィールドのリセット区間で前記走査電極に電気的に連結されて、前記走査電極に前記第１電圧から前記第２電圧よりも大きい前記第３電圧まで上昇するランプ波形を印加する第２トランジスタと、
前記走査電極に電気的に連結されて、前記走査電極に下降ランプ波形を印加する第３トランジスタと、を含む。
【００２７】
【発明の実施の形態】
以下、図面を参照して本発明の実施例を詳細に説明する。
【００２８】
図４は本発明の実施例によるプラズマディスプレイパネル（ＰＤＰ）を示す図面である。
【００２９】
図４に示したように、本発明の実施例によるＰＤＰはプラズマパネル１００、アドレス駆動部２００、Ｙ電極駆動部３２０、Ｘ電極駆動部３４０及び制御部４００を含む。
【００３０】
プラズマパネル１００は列方向に配列されている複数のアドレス電極（Ａ１〜Ａｍ）、行方向にジグザグに配列されている第１維持電極（Ｙ１〜Ｙｎ）及び第２維持電極（Ｘ１〜Ｘｎ）を含む。
【００３１】
アドレス駆動部２００は制御部４００からアドレス駆動制御信号（ＳＡ）を受信して表示しようとする放電セルを選択するための表示データ信号を各アドレス電極に印加する。
【００３２】
Ｙ電極駆動部３２０及びＸ電極駆動部３４０は制御部４００から各々Ｙ電極駆動信号（ＳＹ）及びＸ電極駆動信号（ＳＸ）を受信してＹ電極及びＸ電極に印加する。
【００３３】
制御部４００は外部から映像信号を受信して、アドレス駆動制御信号（ＳＡ）、Ｙ電極駆動信号（ＳＹ）及びＸ電極駆動信号（ＳＸ）を生成し各々アドレス駆動部２００、Ｙ電極駆動部３２０及びＸ電極駆動部３４０に伝達する。
【００３４】
図５は本発明の第１実施例によるプラズマディスプレイパネルの駆動波形を示す図面である。図５において、参照符号Ｘ、Ｙ、Ａは各々Ｘ電極、Ｙ電極及びアドレス電極に印加される電圧波形を示す。
【００３５】
図５を参照して本発明の第１実施例によるリセット区間の動作をより詳細に説明する。
【００３６】
（１）消去区間（ｔ１〜ｔ２）
Ｘ電極に印加される電圧を接地電圧から第１電圧（Ｖｅ）（例えば、１９０Ｖ）まで持続的に上昇させる。ここで、Ｙ電極（Ｙ１，…，Ｙｎ）及びアドレス電極（Ａ１，…，Ａｍ）には各々接地電圧が印加される。これにより、Ｘ電極とＹ電極との間、及びＸ電極とアドレス電極との間に弱い放電が起こりながらＸ電極周囲に負極性の壁電荷が形成される。
【００３７】
（２）Ｙランプ上昇区間（ｔ３〜ｔ４）
Ｙ電極に印加される電圧を第１電圧（Ｖｅ）よりも多少低い第２電圧（Ｖｓ）（例えば、１８０Ｖ）から第１電圧（Ｖｅ）よりもさらに高い第３電圧（Ｖｓｅｔ）（例えば、４００Ｖ）まで持続的に上昇させ、アドレス電極に接地電圧を印加する。
この時、Ｙランプ上昇区間のある一時点（ｔＦ）からＹランプ上昇区間の終了時点（ｔ４）までの区間（ｔＦ〜ｔ４）には、Ｘ電極に第４電圧（ＶＦＢ）まで持続的に上昇する電圧を印加する。この時、区間（ｔＦ〜ｔ４）及び第４電圧（ＶＦＢ）は反復的な実験によって最適値として設定できる。
このような上昇電圧はＸ電極駆動部から直接供給を受けることもできるが、後述するようにＸ電極駆動部の出力が全て電気的にフローティング状態、つまり、ハイインピーダンス状態になることによって同一な効果を得るようにすることができる。
【００３８】
（３）Ｙランプ下降区間（ｔ５〜ｔ７）
Ｘ電極（Ｘ１，…，Ｘｎ）を第１電圧（Ｖｅ）に維持し、Ｙ電極に印加する電圧を第２電圧（Ｖｓ）から接地電圧まで持続的に下降させる。そして、アドレス電極には接地電圧を印加する。
【００３９】
前記のような本発明の第１実施例による駆動波形によると、Ｙランプ上昇区間の後半部（ｔＦ〜ｔ４）でＸ電極に上昇電圧が印加されることにより、次のような効果が得られる。
【００４０】
つまり、本発明の第１実施例によれば、Ｙランプ上昇区間（ｔ３〜ｔ４）で、Ｙ電極とＸ電極との間に従来の電圧よりも小さい電圧を印加するために、Ｙ電極とＸ電極との間に発生する不必要な強放電を減らすことができるのでＰＤＰのコントラストを向上させることができる。
【００４１】
図６は本発明の第１実施例によるＹ電極駆動部３２０及びＸ電極駆動部３４０の詳細回路図であり、図７は図６に示した回路のスイッチングタイミング図面である。
【００４２】
本発明の第１実施例によるＹ電極駆動部３２０によると、維持放電電圧である電圧Ｖｓと接地電圧との間にトランジスタ（Ｍ１、Ｍ２）が直列に連結されており、トランジスタ（Ｍ１、Ｍ２）の間の接点とパネルキャパシター（Ｃｐ）（ここで、パネルキャパシターはＸ電極とＹ電極との間のキャパシタンス成分を等価的に示したものである。）の第１端子（つまり、Ｙ電極）との間にトランジスタ（Ｍ３）が連結されている。トランジスタ（Ｍ１、Ｍ２）の間の接点にキャパシター（Ｃ１）の第１端子が連結され、電圧（Ｖｓｅｔ−Ｖｓ）とキャパシター（Ｃ１）の第２端子との間にダイオード（Ｄ１）が連結されている。パネルキャパシター（Ｃｐ）の第１端子とキャパシター（Ｃ１）との間にＹ電極に上昇ランプ電圧を印加するためのトランジスタ（Ｍ４）が形成されており、パネルキャパシター（Ｃｐ）の第１端子と接地電圧との間にＹ電極に下降ランプ電圧を印加するためのトランジスタ（Ｍ５）が形成されている。トランジスタ（Ｍ４、Ｍ５）にはソースとドレーンとの間に定電流を供給するために各々ドレーンとゲートとの間にキャパシター（Ｃ２、Ｃ３）が形成されている。
【００４３】
一方、本発明の第１実施例によるＸ電極駆動部３４０によると、電圧Ｖｅとパネルキャパシター（Ｃｐ）の第２端子（つまり、Ｘ電極）との間にトランジスタ（Ｍ８）が形成され、パネルキャパシター（Ｃｐ）の第２端子と接地との間にトランジスタ（Ｍ７）が形成されている。トランジスタ（Ｍ７）はパネルキャパシター（Ｃｐ）の第２端子と接地との間をフローティングさせハイインピーダンス状態に作ることによって、図５で説明したようにＹランプ上昇区間でＸ電極に上昇電圧を印加する役割を果たす。
【００４４】
電圧Ｖｅとパネルキャパシター（Ｃｐ）の第２端子との間にはＸ電極に消去波形を印加するためのトランジスタ（Ｍ６）が形成されている。トランジスタ（Ｍ６）のドレーンとゲートとの間にはソースとドレーンとの間に定電流が流れるようにするためのキャパシター（Ｃ４）が形成されている。
【００４５】
次に、図５乃至図７を参照して本発明の第１実施例による駆動方法をより詳細に説明する。
【００４６】
まず、キャパシター（Ｃ１）に電圧（Ｖｓｅｔ−Ｖｓ）が充電されていると仮定する。このような電圧の充電はトランジスタ（Ｍ２またはＭ５）をオンにすることによって容易に行うことができる。
【００４７】
ｔ＝ｔ１で、トランジスタ（Ｍ２、Ｍ３）をオンにした状態でトランジスタ（Ｍ６）をオンにする。そうすると、パネルキャパシター（Ｃｐ）の第２端子（Ｘ電極）に定電流が供給されるために、図５に示したようにＸ電極に接地電圧から第１電圧（Ｖｅ）まで上昇する消去ランプ電圧が印加される。
【００４８】
ｔ＝ｔ２で、トランジスタ（Ｍ６）をオフとし、トランジスタ（Ｍ７）をオンにする。その結果、パネルキャパシター（Ｃｐ）の第２端子（Ｘ電極）の電圧は接地電圧になる。
【００４９】
ｔ＝ｔ３で、トランジスタ（Ｍ７）をオンにした状態でトランジスタ（Ｍ２、Ｍ３）をオフとし、トランジスタ（Ｍ１、Ｍ４）をオンにする。そうすると、キャパシター（Ｃ１）の第１端子に電圧（Ｖｓ）が供給され、キャパシター（Ｃ１）には電圧（Ｖｓｅｔ−Ｖｓ）が予め充電されているために、キャパシター（Ｃ１）の第２端子の電圧はＶｓｅｔになる。そして、キャパシター（Ｃ１）の第２端子の電圧（Ｖｓｅｔ）の電圧はトランジスタ（Ｍ４）を通じてパネルキャパシター（Ｃｐ）の第１端子（Ｙ電極）に供給される。この時、トランジスタ（Ｍ４）はキャパシター（Ｃ２）の影響でソース−ドレーンの間に一定の電流が流れるためにキャパシター（Ｃｐ）の第１端子（Ｙ電極）には第２電圧（Ｖｓ）から第３電圧（Ｖｓｅｔ）までランプ上昇する電圧が印加される。
【００５０】
パネルキャパシターの第１端子（Ｙ電極）の電圧が第２電圧（Ｖｓ）から第３電圧（Ｖｓｅｔ）まで上昇する区間（ｔ３〜ｔ４）のうちの特定時点（ｔ＝ｔＦ）でトランジスタ（Ｍ７）をオフとする。そうすると、接地電圧に維持されていたパネルキャパシター（Ｃｐ）の第２端子（Ｘ電極）がフローティングされた状態になるために、キャパシター（Ｃｐ）の第２端子（Ｘ電極）の電圧（以下、これを「フローティング電圧」という）は図５に示したように、第１端子（Ｙ電極）の電圧に対応して変化する。つまり、パネルキャパシター（Ｃｐ）の第２端子（Ｘ電極）の電圧はＹ電極の電圧からパネルキャパシター（Ｃｐ）に充電された電圧を引いた値に相当するので、Ｘ電極の電圧はＹ電極の電圧に対応して接地電圧から電圧（ＶＦＢ）まで上昇する。この時、フローティング電圧（ＶＦＢ）はパネルキャパシター（Ｃｐ）の第２端子（Ｘ電極）をフローティングさせる区間（つまり、トランジスタ（Ｍ７）をオフにする区間）によって決定される。つまり、フローティング区間が長いほどフローティング電圧（ＶＦＢ）は大きくなる。
【００５１】
したがって、本発明の実施例によれば反復的な実験によって最適のフローティング電圧（ＶＦＢ）が決定されれば、そのためのトランジスタ（Ｍ７）のオフ時点が決定される。
【００５２】
ｔ＝ｔ４で、トランジスタ（Ｍ３、Ｍ７）をオンにしてトランジスタ（Ｍ４）をオフにする。その結果、Ｙ電極に電圧（Ｖｓ）が印加され、Ｘ電極に接地電圧が印加される。
【００５３】
ｔ＝ｔ５で、トランジスタ（Ｍ７）をオフにしてトランジスタ（Ｍ８）をオンにすれば、Ｘ電極には電圧Ｖｅが印加される。
【００５４】
ｔ＝ｔ６で、トランジスタ（Ｍ３）をオンにした状態で、トランジスタ（Ｍ１）をオフにしてトランジスタ（Ｍ５）をオンにする。その結果、パネルキャパシター（Ｃｐ）の第１端子（Ｙ電極）の電圧は電圧Ｖｓから接地電圧までランプ下降する。
【００５５】
以上で説明したように、本発明の第１実施例のリセット駆動方法によると、Ｙランプ上昇区間（ｔ３〜ｔ４）の一部時点でＸ電極をフローティングさせＸ電極にＹ電極に対応するフローティング電圧を印加しＹ電極とＸ電極との間に印加される電圧差を減らすことによって、プラズマディスプレイパネルのコントラストを向上させることができる。
【００５６】
一方、本発明の第１実施例の駆動方法によると、プラズマディスプレイパネルのコントラストが向上するという長所がある反面、リセットが確実でないためその後のアドレス動作が完全でないことがあるという短所を同時に有している。
【００５７】
したがって、全てのサブフィールドに対してＸ電極に同じレベルのフローティング電圧を印加しコントラストを減らそうとする場合には次のような問題点が発生することがある。
【００５８】
つまり、コントラストを減らすために本発明の第１実施例のようにＸ電極をフローティングさせ駆動する場合にはリセットが不安定で放電が起こってはならないピクセルがその後の維持放電区間で放電する問題点が生じることがある。
【００５９】
特に、このようなリセットの不安定に起因した誤放電は低階調のサブフィールド（維持放電パルス数が少ないサブフィールド）よりは高階調のサブフィールド（維持放電パルス数が多いサブフィールド）でさらに問題となる。
【００６０】
本発明の第２及び第３実施例ではこのような点を勘案してリセット区間でのＸ電極とＹ電極との間の電圧差をサブフィールド別に異なるように設定することにより、コントラストの向上と誤放電の減少とを同時に満足させる。
【００６１】
図８は本発明の第２実施例による駆動波形を示す図面である。
【００６２】
図８に示したように、本発明の第２実施例の駆動方法によると、低階調サブフィールド（第１サブフィールド）のリセット区間に印加されるＸ電極のフローティング電圧（ＶＦＢ１）は高階調サブフィールド（ｎ番目サブフィールド）のリセット区間に印加されるＸ電極のフローティング電圧（ＶＦＢ２）よりも大きい。
【００６３】
図８に示した本発明の実施例では第１サブフィールドが低階調サブフィールドであり、ｎ番目サブフィールドが高階調サブフィールドであることを例として説明する。
【００６４】
このような本発明の第２実施例によると、誤放電の影響を比較的に少なく受ける低階調サブフィールドのリセット区間ではＸ電極のフローティング電圧を高く（つまり、Ｙ電極とＸ電極との電圧差を低く）設定してリセット区間での放電を減らすことによりコントラストを向上させる。そして、誤放電の影響を多く受ける高階調サブフィールド（維持放電パルス数が多いサブフィールド）のリセット区間ではＸ電極のフローティング電圧を低く（つまり、Ｙ電極とＸ電極との電圧差を高く）設定して確実なリセットを行うようにすることにより、その後の維持放電区間での誤放電を防止する。
【００６５】
図８に示した本発明の第２実施例による駆動波形図は図６に示した駆動回路を使用して実現することができる。
【００６６】
具体的に、低階調サブフィールドのリセット区間でトランジスタ（Ｍ７）をフローティングさせる区間（ｔＦＢ１）を高階調サブフィールドのリセット区間でトランジスタ（Ｍ７）をフローティングさせる区間（ｔＦＢ２）よりも長くすることで、Ｘ電極に印加されるフローティング電圧（ＶＦＢ１）を高階調サブフィールドのリセット区間のＸ電極に印加されるフローティング電圧（ＶＦＢ２）よりも高く設定することができる。
【００６７】
図９は本発明の第３実施例による駆動波形を示す図面である。
【００６８】
図９に示したように、本発明の第３実施例の駆動波形によれば、第１サブフィールド（低階調サブフィールド）のリセット区間に印加されるＹ電極の電圧（Ｖｓｅｔ１）はｎ番目サブフィールド（高階調サブフィールド）のリセット区間に印加されるＹ電極の電圧（Ｖｓｅｔ２）よりも小さい。
【００６９】
このような本発明の第３実施例によれば、誤放電の影響を比較的に少なく受ける低階調サブフィールドのリセット区間ではＹ電極の電圧を低く（つまり、Ｙ電極とＸ電極との電圧差を低く）設定してリセット区間での放電を減らすことによりコントラストを向上させる。そして、誤放電の影響を多く受ける高階調サブフィールドのリセット区間ではＹ電極の電圧を高く（つまり、Ｙ電極とＸ電極との電圧差を高く）設定して確実なリセットをするようにすることにより、その後の維持放電区間での誤放電を防止する。
【００７０】
図１０は本発明の第３実施例による駆動方法を実現するための回路図である。
【００７１】
図１０に示した駆動回路は図６に示した回路とほとんど同一であり、単にＹランプの上昇電圧を印加するための電圧源と回路素子とのみが異なる。
【００７２】
具体的には第１サブフィールドでＹ上昇ランプ電圧を印加するために電圧源（Ｖｓｅｔ１−Ｖｓ）、ダイオード（Ｄ１０）、キャパシター（Ｃ１０、Ｃ３０）及びトランジスタ（Ｍ４０）が提供されており、ｎ番目サブフィールドでＹ上昇ランプ電圧を印加するために電圧源（Ｖｓｅｔ２−Ｖｓ）、ダイオード（Ｄ２０）、キャパシター（Ｃ２０、Ｃ４０）及びトランジスタ（Ｍ５０）が提供されている。
【００７３】
図１０に示した駆動回路で、第１サブフィールドではトランジスタ（Ｍ４０）をオンにすることでＹ電極の電圧をＶｓからＶｓｅｔ１までランプ上昇させ、ｎ番目サブフィールドではトランジスタ（Ｍ５０）をオンにすることでＹ電極の電圧をＶｓからＶｓｅｔ２までランプ上昇させる。図１０に示した回路に対するこの他の動作は図６に示した回路の動作についての説明から本発明の技術分野に属する当業者が容易に理解できるために重複する説明は省略する。
【００７４】
以上、本発明の実施例について詳細に説明したが、本発明は前記実施例にのみ限定されるわけではなく、その他の様々な変形や変更が可能である。
【００７５】
【発明の効果】
以上説明したように、本発明によればリセット区間の一部時点でＸ電極をフローティングさせ放電を減少させることによってプラズマ表示パネルのコントラストを高めることができる。また、本発明によれば各リセット区間に対してサブフィールド別にＹ電極の電圧とＸ電極の電圧との差を異なるように設定し、コントラストを減らすと同時に高階調サブフィールドでの誤放電を防止することができる。
【図面の簡単な説明】
【図１】交流型プラズマディスプレイパネルの一部斜視図である。
【図２】プラズマディスプレイパネルの電極配列図面である。
【図３】従来プラズマディスプレイパネルの駆動波形図である。
【図４】本発明の実施例によるプラズマディスプレイパネルを示す図面である。
【図５】本発明の第１実施例によるプラズマディスプレイパネルの駆動波形図である。
【図６】図５に示した駆動波形を印加するのに使用される回路図の一例を示す図面である。
【図７】図６に示した回路のスイッチングタイミング図である。
【図８】本発明の第２実施例によるプラズマディスプレイパネルの駆動波形図である。
【図９】本発明の第３実施例によるプラズマディスプレイパネルの駆動波形図である。
【図１０】図９に示した駆動波形を印加するのに使用される回路図の一例を示す図面である。
【符号の説明】
１００      プラズマパネル
２００      アドレス駆動部
３２０      Ｙ電極駆動部
３４０      Ｘ電極駆動部
４００      制御部
Ａ１〜Ａｍ      アドレス電極
Ｃ１、Ｃ２、Ｃ３、Ｃ４、Ｃ１０、Ｃ３０      キャパシター
Ｃｐ      パネルキャパシター
Ｄ１      ダイオード
Ｍ１、Ｍ２、Ｍ３、Ｍ４、Ｍ５、Ｍ６、Ｍ７、Ｍ４０、Ｍ５０      トランジスタ
Ｙ１〜Ｙｎ      第１維持電極
Ｘ１〜Ｘｎ      第２維持電極
ＳＡ      アドレス駆動信号
ＳＸ      Ｘ電極駆動信号
ＳＹ      Ｙ電極駆動信号
ｔ１〜ｔ２      消去区間
ｔ３〜ｔ４      Ｙランプ上昇区間
ｔ５〜ｔ６      Ｙランプ下降区間
【図１】
2004163884.tif 000003
【図２】
2004163884.tif 000004
【図３】
2004163884.tif 000005
【図４】
2004163884.tif 000006
【図５】
2004163884.tif 000007
【図６】
2004163884.tif 000008
【図７】
2004163884.tif 000009
【図８】
2004163884.tif 000010
【図９】
2004163884.tif 000011
【図１０】
2004163884.tif 000012